(57)【要約】【課題】接着剤を使用して接合した接合部の引っ張り強度が高く、また使用中に取り付け位置が移動しにくいゴム芯入り組紐リングを提供する。【解決手段】ゴム芯とそれを被覆する外皮組紐からなるゴム芯入り組紐を所定長さに切断し、両端切断面を互いに接合してリング状とする。ゴム芯は正方形断面の６本の細いゴム紐を束ねて構成し、該細いゴム紐の４本は縦横２本×２本の正方形に配置し、残る２本は正方形配置の対向する２辺の辺中央部外側に配置する。切断端面から所定距離範囲内にある６本の細いゴム紐相互の間隙、その周囲と外皮組紐との隙間、及び同じ範囲内の外皮組紐に接着剤を浸透させて固化させ、該状態にて両端切断面を互いに接合してリングを形成する。【選択図】図３
2016034317.tif 000002
【特許請求の範囲】
【請求項１】
ゴム芯とそれを被覆する外皮組紐からなるゴム芯入り組紐を所定長さに切断し、両端切断面を互いに接合してリング状にしたゴム芯入り組紐リングであって、
前記ゴム芯は正方形断面の６本の細いゴム紐を束ねて構成され、該細いゴム紐の４本は縦横２本×２本の正方形をなすように配置され、残る２本は該正方形配置の対向する２辺の辺中央部外側に配置され、前記切断端面から所定距離範囲内にある前記６本の細いゴム紐相互の間隙、ゴム芯外面と外皮組紐との隙間、及び同じ範囲内の前記外皮組紐自体の隙間には接着剤を浸透させて固化させてあり、該状態にて前記両端切断面が互いに接合してあることを特徴とするゴム芯入り組紐リング。
【請求項２】
請求項１に記載のゴム芯入り組紐リングにおいて、前記正方形断面の６本の細いゴム紐は前記配置に代えて縦横３本×２本の矩形に配置してあることを特徴とするゴム芯入り組紐リング。
【請求項３】
請求項１又は２に記載のゴム芯入り組紐リングにおいて、前記正方形断面の６本の細いゴム紐で構成されたゴム芯は、細いゴム紐の前記各配置が使用中に崩れないように外皮組紐で被覆する前に所定間隔おきに短い幅で細いゴム紐相互の間隙を接着剤で固めてあることを特徴とするゴム芯入り組紐リング。
【発明の詳細な説明】
【技術分野】
【０００１】
本発明は、女性が頭髪の結束に使用する髪留め、物品包装の留め具、腕の装飾品等として使用される伸縮自在のゴム芯入り組紐リングに関する。
【背景技術】
【０００２】
女性が毛髪を束ねる際に使用する髪留め、腕の装飾品、物品包装の留め具などとしてゴム芯入り組紐リングが広く利用されている。このゴム芯入り組紐リングは、ゴム芯とそれを被覆する外皮組紐とからなる伸縮性のゴム芯入り組紐を所定長さに切断し、両切断端面を互いに接合してリング状にしたものである。ゴム芯としては通常、円形断面の１乃至数本のゴム紐が使用され、外皮組紐としては数本の糸束からなる複数本の組紐材を交差するように筒状に縒り合わせて伸縮性を持たせたものが使用される（例えば、特許文献１、２）。
【０００３】
ところで、このように所定長さに切断した短尺のゴム芯入り組紐の両端を接着剤で接合してリング状にしたゴム芯入り組紐リングには、用途によりその接合部に大きな引っ張り強度が求められる。ゴム芯入り組紐リングの断面は製品としての外観上、それ程大きくできないため小断面で接合部の引っ張り強度を高めることは容易でない。発明者らの実験では、従来のように円形断面の１乃至数本のゴム紐を使用したゴム芯入り組紐リングでは、比較的小さい引っ張り力を加えただけで接合部に破断を生じた。その破断面を詳しく調査したところ、破断の多くはゴム芯と接着剤間の接合部が剥離することで生じていた。ゴム芯と接着剤間の接合面積は、切断面からゴム芯長さ方向に向けての接着剤の内部浸透距離を大きくすることで大きくすることはできる。しかし、接着剤を浸透固化させた部分は伸縮しないため、浸透距離を大きくすることは使用に際して質感の違いによる違和感を生じさせて好ましくない。また、本数の少ないゴム紐を使用したゴム芯入り組紐リングでは、ゴム紐の全体断面積が同じでも同じ力で引っ張った場合の伸び率が小さいことも実験で確かめられた。
【先行技術文献】
【特許文献】
【０００４】
【特許文献１】特許第２９３６０９１号公報
【特許文献２】特許第３７５９４３６号公報
【発明の概要】
【発明が解決しようとする課題】
【０００５】
本発明は、従来技術のこうした問題点を解決するためになされたもので、その課題は、ゴム芯とそれを被覆する外皮組紐とからなる伸縮性のゴム芯入り組紐を所定長さに切断し、両切断端面を互いに接合してリング状にしたゴム芯入り組紐リングであって、接着剤を使用して接合した接合部の引っ張り強度が高く、また使用中に取り付け位置が移動しにくいゴム芯入り組紐リングを提供することにある。
【課題を解決するための手段】
【０００６】
前記課題を解決するための請求項１に記載の発明は、ゴム芯とそれを被覆する外皮組紐からなるゴム芯入り組紐を所定長さに切断し、両端切断面を互いに接合してリング状にしたゴム芯入り組紐リングであって、前記ゴム芯は正方形断面の６本の細いゴム紐を束ねて構成され、該細いゴム紐の４本は縦横２本×２本の正方形をなすように配置され、残る２本は該正方形配置の対向する２辺の辺中央部外側に配置され、
前記切断端面から所定距離範囲内にある６本の細いゴム紐相互の間隙、ゴム芯外面と外皮組紐との隙間、及び同じ範囲内の前記外皮組紐自体の隙間には接着剤を浸透させて固化させてあり、該状態にて両端切断面が互いに接合してあることを特徴とするゴム芯入り組紐リングである。
【０００７】
このような構成によれば、両端切断面に塗布した接着剤はゴム芯外面と外皮組紐間の間隙、外皮組紐自体の隙間だけでなく、６本の正方形断面を有する細いゴム紐相互の狭い間隙にも浸透する。このためゴム紐と接着剤との接触面積が従来のゴム芯入り組紐リングに比べて大幅に増加するため接合部の引っ張り強度が大幅に増加する効果が得られる。更に、ゴム芯入り組紐の楕円気味断面の長い方の側面がリング中央側に向くように接合すれば、毛髪の結束具や物品包装の留め具などとして使用する場合に毛髪や物品に接触する面積が円形断面のゴム芯入り組紐を使用したものに比べて大きくなる。このため使用中に取り付け位置が移動しにくくなる効果も得られる。
【０００８】
また、請求項２に記載の発明は、請求項１に記載のゴム芯入り組紐リングにおいて、前記正方形断面の６本の細いゴム紐は前記配置に代えて縦横３本×２本の矩形に配置してあることを特徴とするゴム芯入り組紐リングである。
【０００９】
このような構成の場合もゴム紐と接着剤との接触面積が従来のゴム芯入り組紐リングに比べて大幅に増加するため接合部の引っ張り強度が大幅に増加する効果が得られる。
【００１０】
また、請求項３に記載の発明は、請求項１又は２に記載のゴム芯入り組紐リングにおいて、前記正方形断面の６本の細いゴム紐で構成されたゴム芯は、細いゴム紐の各配置が使用中に崩れないように外皮組紐で被覆する前に所定間隔おきに短い幅で細いゴム紐相互の間隙を接着剤で固めてあることを特徴とするゴム芯入り組紐リングである。
【００１１】
ゴム芯をこのような構成にしておけば６本の細いゴム紐相互の配置が崩れにくいため、それを採用したゴム芯入り組紐リングは請求項１、２に記載した効果が確実に得られる利点を有する。
【図面の簡単な説明】
【００１２】
【図１】第１の実施形態に係るゴム芯入り組紐リング１の外観斜視図である。
【図２】ゴム芯入り組紐リング１を構成するゴム芯入り組紐２の断面図である。
【図３】ゴム芯入り組紐リング１の接合部６の横断面図と縦断面図である。
【図４】第２の実施形態に係るゴム芯入り組紐リング１ａの外観斜視図である。
【図５】ゴム芯入り組紐リング１ａを構成するゴム芯入り組紐２ａの断面図である。
【図６】ゴム芯入り組紐リング１ａの接合部６の横断面図と縦断面図である。
【図７】所定間隔おきに短い幅で細いゴム紐３相互の間隙を接着剤７で固めたゴム紐の縦断面図である。
【発明を実施するための形態】
【００１３】
以下、本発明に係るゴム芯入り組紐リングの構成例を実施形態に分けて図面を参照して説明する。
（第１の実施形態）
図１は第１の実施形態に係るゴム芯入り組紐リング１の外観斜視図、図２はゴム芯入り組紐リング１を構成するゴム芯入り組紐２の断面図であり、図１におけるＡ−Ａ線に沿った断面である。本実施形態のゴム芯入り組紐リング１は、正方形断面の６本の細いゴム紐３を所定配置で束ねたゴム芯４を外皮組紐５で被覆したゴム芯入り組紐２を採用している。
【００１４】
ゴム芯４を構成する６本の細いゴム紐３は同じ大きさの正方形断面に形成されており、４本は縦横２本×２本の正方形配置とし、残る２本は該正方形配置の対向する２辺の辺中央部外側に配置してある。そのように配置構成したゴム芯４の外周部は外皮組紐５で被覆されている。外皮組紐５は数本の糸束からなる複数本の組紐材を交差するように筒状に縒り合わせて伸縮性を持たせたものである。このような構成のゴム芯入り組紐２は、前述したように配置した６本の細いゴム紐３からなる連続した長尺のゴム芯４を長手方向に引っ張った状態で組紐の軸芯となる位置に配置し、その状態で製紐機に通してゴム芯４の外周部に外皮組紐５を設けることで製造する。
【００１５】
このように構成された長尺のゴム芯入り組紐２を用いてゴム芯入り組紐リング１を形成する際は、最初にゴム芯入り組紐２をリングの形状に合わせた長さに切断して短尺のゴム芯入り組紐を形成する。切断により両端切断面の外皮組紐５にほつれや毛羽立ちが生じた場合はそれらを除去しておく。次に、両端切断面に接着剤７を塗布して切断端面から組紐２内部に向けて接着剤７を所定距離浸透させ、その状態で両端切断端面を互いに突き当てたまま接着剤７を固化させてリングを形成する。接着剤７としては短時間で硬化するシアノアクリレート系瞬間接着剤を使用するとよい。
【００１６】
図３の（１）は接合部６の横断面図、図３の（２）は接合部６の縦断面図である。接着剤７は６本の細いゴム紐３相互の狭い間隙、外皮組紐５を構成する組紐材自体の隙間、及び細いゴム紐３と外皮組紐５間の狭い間隙、両端切断端面間の間隙に浸透した状態で固化し、両端を互いに接着させる。完成したゴム芯入り組紐リング１は、ゴム芯入り組紐２内のゴム芯４を構成する６本の細いゴム紐３の配置から断面は楕円気味の形状となり、楕円断面の長い方の側面がリング中央側を向くように接合する。
【００１７】
このように構成された本実施形態のゴム芯入り組紐リング１は次のような利点と特徴を有する。ゴム芯入り組紐リング１は所定形状に配置した６本の正方形断面の細いゴム紐３の束をゴム芯４とし、その外側を外皮組紐５で被覆した構成のゴム芯入り組紐２を採用している。このため両端切断面に塗布した接着剤７はゴム芯４外面と外皮組紐間の隙間、外皮組紐５自体の隙間だけでなく、６本の細いゴム紐３相互間の狭い間隙にも浸透する。このためゴム芯４と接着剤７との接触面積が１〜数本の丸ゴムを用いた従来のゴム芯入り組紐リングに比べて大幅に増加する。
【００１８】
また、細いゴム紐３として正方形断面のゴムを使用している。正方形断面は同じ断面積の円形断面よりもの外周が長いので、矩形断面のゴムの採用はゴム芯と接着剤との接触面積を円形断面ゴムの場合よりも大きくさせる。両端接合部に大きな引っ張り力が加わったときの破断は、接着剤とゴム芯間の接合部が剥離することで生じる。このため正方形断面の６本の細いゴム紐６を採用することによりゴム芯と接着剤との接触面積を増大させた本実施形態のゴム芯入り組紐リングは、接合部の引っ張り強度が大幅に増加する利点を有する。接着剤が浸透して固化した部分は伸縮しないため使用時に違和感を生じさせる。本実施形態のゴム芯入り組紐リングはゴム芯と接着剤との接触面積が大きいため、同じ強度を確保するだけでよい場合には接着剤浸透距離を短くできるため違和感を緩和させることができる。
【００１９】
更に、本実施形態のゴム芯入り組紐リング１は、ゴム芯入り組紐２の楕円気味断面の長い方の側面がリング中央側を向くように接合されている。従って、毛髪の結束具や物品包装の留め具などとして使用した場合、毛髪や物品に接触する面積が円形断面のゴム芯入り組紐を使用した場合に比べて大きくなるため、使用中に取り付け位置が移動しにくい利点も有する。物品との接触面積だけを問題にするのであれば平ゴム芯を使用した方が有利かもしれないが、円形に近い楕円断面の本実施形態のゴム芯入り組紐リング１の方が見栄えがよく、且つ扱い易い。
【００２０】
（第２の実施形態）
図４は第２の実施形態に係るゴム芯入り組紐リング１ａの外観斜視図、図５はゴム芯入り組紐リング１ａを構成するゴム芯入り組紐２ａの断面図であり、図４におけるＡ−Ａ線に沿った断面である。本実施形態のゴム芯入り組紐リング１ａは、ゴム芯入り組紐２ａに使用している正方形断面の６本の細いゴム紐３の配置が第１の実施形態に係るゴム芯入り組紐２と異なるのみで他の構成は同じである。
【００２１】
本実施形態のゴム芯入り組紐２ａでは、正方形断面の６本の細いゴム紐３は図５の断面図に示すように縦横３本×２本の矩形に配置してある。図６の（１）は接合部６の横断面図、図６の（２）は接合部６の縦断面図である。接着剤７は６本の細いゴム紐３相互の狭い間隙、外皮組紐５を構成する組紐材自体の隙間、ゴム芯４と外皮組紐５の間隙、及び両端切断面間の間隙に浸透した状態で固化する。完成したゴム芯入り組紐リング１ａはゴム芯入り組紐２ａ内のゴム芯４を構成する６本の細いゴム紐３の配置から断面は丸みを帯びた縦長形状となり、縦長断面の長い方の側面がリング中央側を向くように接合してある。
【００２２】
このような構成から本実施形態のゴム芯入り組紐リング１ａもゴム芯４と接着剤７との接触面積が従来のゴム芯入り組紐リングに比べて大幅に増加する。また、ゴム芯入り組紐２の縦長断面の長い方の側面がリング中央側を向くように接合してあるので毛髪の結束具や物品包装の留め具などとして使用した場合、毛髪や物品に接触する面積が円形断面に比べて大きくなる。このため使用中に取り付け位置が移動しにくい利点も有する。
【００２３】
（第３の実施形態）
第１の実施形態のゴム芯入り組紐リング１、第２の実施形態のゴム芯入り組紐リング１ａは、共に６本の細いゴム紐３として正方形断面のゴム紐を採用している。このため図２、図５に示した接着剤７で固化されていない部分のゴム芯４は、細いゴム紐３が正方形断面であるためにそれらの配置が崩れにくい利点を有する。しかし、大きなリングのために長いゴム芯入り組紐２、２ａを使用した場合には配置が崩れる心配がある。その対策としては、６本の細いゴム紐３には外皮組紐５を被覆する前にそれら相互の配置が崩れないように、図７の縦断面図に示すように所定間隔おきに短い幅で細いゴム紐３相互間を接着剤７で固めておくとよい。
【符号の説明】
【００２４】
図面中、１、１ａはゴム芯入り組紐リング、２、２ａはゴム芯入り組紐、３は細いゴム紐、４はゴム芯、５は外皮組紐、６は接合部、７は接着剤を示す。
【図１】
2016034317.tif 000003
【図２】
2016034317.tif 000004
【図３】
2016034317.tif 000005
【図４】
2016034317.tif 000006
【図５】
2016034317.tif 000007
【図６】
2016034317.tif 000008
【図７】
2016034317.tif 000009